(57)【要約】【課題】  靴底プレートの厚みが増すことなく屈曲性を低下させながら着地時の足底への衝撃を分散、緩和するとともに、効率よくクッション性と反発力を得ることができるシューズを提供する。【解決手段】  足が挿入されるシューズ本体部１の足底に覆われた靴底プレート２と、靴底プレート２を挟んで固定されたクッション材３とを有するシューズであって、靴底プレート２は、硬質な素材から形成され、シューズ本体部１の足底全体を覆う水平プレート部２ａと、シューズ本体部１の前足部から踵部にわたり、水平プレート部２ａの両側から垂直方向に立ち上がらせた垂直プレート部２ｂを有し、クッション材３は、シューズ本体部１の少なくとも前足部と踵部に取り付けられる。【選択図】図１
2020075135.tif 000002
【特許請求の範囲】
【請求項１】
足が挿入されるシューズ本体部の足底に覆われた靴底プレートと、前記靴底プレートを挟んで固定されたクッション材とを有するシューズであって、
前記靴底プレートは、硬質な素材から形成され、前記シューズ本体部の足底全体を覆う水平プレート部と、前記シューズ本体部の前足部から踵部にわたり、前記水平プレート部の両側から垂直方向に立ち上がらせた垂直プレート部を有し、前記シューズ本体部の前足部のみで底面側に固定され、中足部から踵部に亘る範囲が接離し、
前記クッション材は、前記シューズ本体部の少なくとも前足部と踵部に取り付けたことを特徴とするシューズ。
【請求項２】
前記靴底プレートは、前記前足部の位置において地表面側に突出する湾曲形状に形成され、前記シューズ本体部の前足部が屈曲可能に形成された請求項１に記載のシューズ。
【発明の詳細な説明】
【技術分野】
【０００１】  本発明は、履き心地が良いとともに着地時の衝撃を蹴り出し時の推進力に効率的に変換することが可能な構成を有し、ランニングやウォーキングに用いて好適なシューズに関する。
【背景技術】
【０００２】  従来一般のシューズには、着地時の足底への衝撃を分散、緩和するとともに、クッション性を良くするために、靴底や中敷が用いられ、その例として、特開平９−２８５３０４号公報（特許文献１）、或いは、特開２００３−３８２０７号公報（特許文献２）には、種々の構成が開示されている。
【発明の開示】
【発明が解決しようとする課題】
【０００３】  特許文献１に示された靴底は、踏み面を形成する接地部と、この接地部の上方に設けられ上下方向に圧縮されて衝撃を緩和する柱状部ないし壁状部を有する緩衝部と、この柱状部ないし壁状部の上方に設けられ、前記緩衝部からの荷重を少なくとも踵の略全域に分散させる分散部とを備えている。この分散部は、ＦＲＰまたは金属を含む合成樹脂からなる板材によって形成され、低度な曲げ剛性によって足の荷重によってたわませるようにしている。また、分散部をヒールカップ形状に形成して、分散部の周縁の曲げ剛性を高め、分散部の中央のたわみを大きくすることが記載されている。
【先行技術文献】
【特許文献】
【０００４】
【特許文献１】特開平９−２８５３０４号公報
【特許文献２】特開２００３−３８２０７号公報
【発明の概要】
【発明が解決しようとする課題】
【０００５】  上記特許文献１に示された靴底は、衝撃を緩和する緩衝部からの荷重を少なくとも踵の略全域に分散させるために分散部が設けられ、着地時の足底への衝撃を分散させて緩和するようにしている。しかしながら、分散部は、低度な曲げ剛性によって足の荷重によってたわませるようにしていることから、衝撃が分散部自体に吸収されることから分散され難くなる問題があった。【０００６】  本発明の課題は、靴底プレートの厚みが増すことなく屈曲性を低下させながら着地時の足底への衝撃を分散、緩和するとともに、効率よくクッション性と反発力を得ることができるシューズを提供することにある。
【課題を解決するための手段】
【０００７】  この課題を解決するための請求項１の発明は、足が挿入されるシューズ本体部の足底に覆われた靴底プレートと、前記靴底プレートを挟んで固定されたクッション材とを有するシューズであって、前記靴底プレートは、硬質な素材から形成され、前記シューズ本体部の足底全体を覆う水平プレート部と、前記シューズ本体部の前足部から踵部にわたり、前記水平プレート部の両側から垂直方向に立ち上がらせた垂直プレート部を有し、前記シューズ本体部の前足部のみで底面側に固定され、中足部から踵部に亘る範囲が接離し、前記クッション材は、前記シューズ本体部の少なくとも前足部と踵部に取り付けたことを要旨としている。【０００８】  また、請求項２の発明は、前記靴底プレートを、前記前足部の位置において地表面側に突出する湾曲形状に形成され、前記シューズ本体部の前足部が屈曲可能に形成させるようにしている。
【発明の効果】
【０００９】  本発明によるシューズは、靴底プレートを硬質な素材により形成し、シューズ本体部の前足部から踵部にわたり、水平プレート部の両側から垂直方向に立ち上がらせた垂直プレート部を形成しているので、硬質な靴底プレートの剛性を高めることから、水平プレート部の厚みを増すことなく、軽量であっても、着地時の足底への衝撃を分散、緩和することができる。また、垂直プレート部を適宜に変更することにより、靴底プレートの強度と屈曲性を変更することが可能となり、シューズの履き心地を損なうことなく、クッション性と反発力を増すことができる。また、靴底プレートを挟んで固定されたクッション材をシューズ本体部の前足部と踵部に取り付けているので、中足部に位置するクッション材を省略することが可能で、シューズ自体を軽量化することができるとともに、クッション材に加わる単位面積あたりの圧力が増すため、クッション性と反発力を増すことが可能となる。
【図面の簡単な説明】
【００１０】
【図１】本発明によるシューズの実施例を示す側面図である。
【図２】図１に示すシューズの断面図である。
【図３】シューズの靴底プレートの他の実施例を示す断面図である。
【図４】靴底プレートがシューズ本体部の中足部から踵部に亘り接離するシューズに適用した側面図である。
【発明を実施するための形態】
【００１１】    以下、本発明によるシューズの実施例について詳細に説明する。シューズは、図１に示すように、足が挿入されるシューズ本体部１と、シューズ本体部１の底面側長さ方向における所要範囲を覆う大きさの靴底プレート２と、靴底プレート２の接地面側に取り付けられたクッション材３から構成されている。シューズ本体部１は、一般的なスポーツシューズと同様であり、屈曲性を有するとともに、足が挿入されるようになっている。
【００１２】  靴底プレート２は、硬質な素材から形成され、図１、図２に示すように、シューズ本体部１の足底全体を覆う水平プレート部２ａと、シューズ本体部１の前足部から踵部にわたり、水平プレート部２ａの両側から垂直方向に立ち上がらせた垂直プレート部２ｂを有している。この靴底プレート２は、軽くて高強度、高剛性であって硬質な繊維強化プラスチックを素材とした肉薄な板材から形成されている。繊維強化プラスチックとしては、炭素繊維（ＣＦＲＰ）やガラス繊維（ＧＦＲＰ）が強化材として用いられている。
【００１３】  このように、水平プレート部２ａの両側に垂直プレート部２ｂを垂直方向に立ち上がらせることにより、水平プレート部２ａを肉薄に形成しても、靴底プレート２は硬質なプレートとなる。一方、靴底プレート２の前足部の垂直プレート部２ｂの高さは、中足部から爪先にかけて徐々に低くなるように形成されており、これにより前足部の靴底プレート２は、適度に屈曲するようになっている。また、水平プレート部２ａは、前足部で地表面側に突出する湾曲形状に形成されている。前足部は、中足骨と指骨との間の屈曲する部位であり、歩行や走行するときの足の屈曲状態に合わせて前足部の靴底プレート２も屈曲する。更に屈曲性を得るために、靴底プレート２の爪先部分では、垂直プレート部２ｂを省き、水平プレート部２ａのみで板状に形成したり、爪先部分では靴底プレート２自体を省くことも可能である。一方、中足部から踵部は、足の構造上屈曲することがないので、靴底プレート２は、中足部から踵部で垂直プレート部２ｂの高さを高く形成して硬質化されている。
【００１４】  靴底プレート２は、両側に垂直プレート部２ｂを垂直方向に立ち上がらせることにより、肉薄であっても必要な部位を硬質化することができるので、軽量化を図ることができる。また、垂直プレート部２ｂの長さと高さを変えることにより、強度と屈曲性とを容易に変えることが可能となる。なお、軽量化とソールの通気性のため水平プレート２ａに１個から複数個の孔を設けても良い。孔の大きさ、分布によって水平プレート２ａの屈曲性を変化させることも可能であり、孔の形状を漏斗状にすることにより、強度を増すことができる。
【００１５】  靴底プレート２の接地面側には、クッション材３が取り付けられている。クッション材３の素材としては、ＥＶＡ（Ｅｔｈｙｌｅｎｅ−Ｖｉｎｙｌ  Ａｃｅｔａｔｅ）フォーム等の柔軟性と弾力性に優れた材料が好適である。クッション材３は、靴底プレート２の接地面側（下面側）の長さ方向における両端部である前足部と踵部にそれぞれ取り付けられている。すなわち、図１からも明らかなように、靴底プレート２の中足部に相当する部分にはクッション材３は取り付けられておらず、シューズを単純に接地面に置いた状態においては、クッション材３は接地面に接地するが、靴底プレート２の中足部に相当する部分は接地面から離反した状態になる。
【００１６】  このようにクッション材３を取り付けると、ユーザが走り出すとき、ユーザが地面を蹴りだしする際はシューズの前足部のみが接地することになり、靴底プレート２の中足部に相当する部分から踵部に亘る範囲は地面から離反した状態になる。これによりシューズとしての屈曲性が損なわれることがないので、スムーズに地面を蹴り出すことができる。また、ユーザが着地する際には、靴底プレート２により、踵部にかかる圧力はユーザの足裏全体に分散させることができ、シューズの履き心地を良好なものにすることが可能になる。このように靴底プレート２の接地面側において局所的にクッション材３を配設することによりシューズ全体が軽量化される。
【００１７】  このように、クッション材３を局所的に配設することにより、クッション材３に加わる単位面積あたりの圧力が増すため、クッション材３に着地時における衝撃をより効率的に弾性エネルギー（反発エネルギー）として取り込ませることができる。これにより、ユーザがシューズの接地面で地面を蹴りだしする際においては、クッション材３の弾性変形が復元する際の反発エネルギーを推進力として蹴りだし方向に作用させることができるため、力強い蹴りだしが可能になる。
【００１８】  図３は、靴底プレート２の変形例を示し、本発明の靴底プレート２をミッドソールに使用した場合の適用例であり、シューズ本体部１の長さ方向に対しての中足部での垂直断面図である。中足部を中心に図３に示すように、水平プレート２ａに凹凸を設けることにより、強度を更に高めるようにしている。
【００１９】  図４は、シューズの他の実施例を示し、中足部から踵部に亘る範囲が靴底プレート２から接離するスラップ型に構成している。すなわち、靴底プレート２は、趾骨と中足骨の境界部分を含む所要長さ範囲（前足部における所要位置）においてのみシューズ本体部１の底面に固定されていて、シューズ本体部１の底面側における中足部から踵部に亘る範囲に対しては靴底プレート２が固定されておらず、シューズ本体部１の底面と接離動可能になっている。
【００２０】  そして、シューズを履いたユーザが走り出すと、ユーザが地面を蹴りだしする際はシューズ本体部１の前足部のみが接地することになり、靴底プレート２の中足部に相当する部分から踵部に亘る範囲は、地面およびシューズ本体部１の踵部からそれぞれ離反した状態になる。これによりシューズとしての屈曲性が損なわれることがないので、スムーズに地面を蹴り出すことができる。また、着地の際には、靴底プレート２がシューズ本体部１の中足部から踵部に接合し、中足部と踵部にかかる圧力を硬質な靴底プレート２によってユーザの足裏全体に分散させる。これにより、シューズの履き心地を良好なものにすることが可能になる。
【００２１】  以上、本発明を実施例に基づき具体的に説明したが、本発明は上記実施例に限定されるものではなく、その要旨を逸脱しない範囲で種々変形可能であることは言うまでもない。例えば、上述した実施例において、クッション材を靴底プレートの長さ方向における両端部である前足部と踵部にそれぞれ独立に取り付けたが、前足部と踵部のクッション材を中足部において肉薄に連結させて一体化させても良い。また、靴底プレートは、硬質な繊維強化プラスチックによって形成しているが、前足部、中足部と踵部の各部位において、硬度と屈曲性を変化させるために、厚さを変化させても良い。また、設置時間を長くし、足への負担を軽減するため、靴底プレートとクッション材は、シューズ本体部の後方に突出させても良い。
【符号の説明】
【００２２】１    シューズ本体部
２    靴底プレート
２ａ  水平プレート
２ｂ  垂直プレート
３    クッション材
【図１】
2020075135.tif 000003
【図２】
2020075135.tif 000004
【図３】
2020075135.tif 000005
【図４】
2020075135.tif 000006